(57)【要約】【課題】光の利用効率を向上させることが可能なバックライトユニットを提供する。【解決手段】このバックライトユニット１０は、発光ダイオード素子３と、発光ダイオード素子３で生成された光が出射される出光面４ａを有する封止部材４とを含む光源１と、光源１が対向配置される光入射面２ａと、その光入射面２ａに対して垂直な光出射面２ｂとを少なくとも有し、光出射面２ｂに回折格子パターン６が形成されている導光板２とを備えている。そして、封止部材４の出光面４ａには、封止部材４の出光面４ａが導光板２の光入射面２ａに対して平行な部分を有しないように形成された配光制御用の凹部４ｃが設けられており、封止部材４の凹部４ｃで配光制御された光を導光板２の光入射面２ａから導光板２内に導入するように構成されている。【選択図】図１
2009301725.tif 000002
【特許請求の範囲】
【請求項１】
光を生成する発光体と、前記発光体を封止しているとともに、前記発光体で生成された光が出射される出光面を有する封止部材とを含む光源と、
前記光源が対向配置される所定の側端面からなる光入射面と、前記光入射面に対して垂直で、かつ、被照明体側に向く面からなる光出射面とを少なくとも有する板状部材からなり、前記光入射面以外の少なくとも一面に回折格子パターンが形成されている導光板とを備え、
前記封止部材の出光面には、前記封止部材の出光面が前記導光板の光入射面に対して平行な部分を有しないように形成された配光制御用の凹部が設けられており、
前記封止部材の凹部で配光制御された光を前記導光板の光入射面から前記導光板内に導入するように構成されていることを特徴とするバックライトユニット。
【請求項２】
前記封止部材の凹部は、前記封止部材の出光面の中心を通る中心線に対して対称な少なくとも一対の傾斜面を有していることを特徴とする請求項１に記載のバックライトユニット。
【請求項３】
前記封止部材の一対の傾斜面は、５０°以上８０°以下の傾斜角度で傾斜していることを特徴とする請求項２に記載のバックライトユニット。
【請求項４】
前記封止部材の一対の傾斜面は、直線状に傾斜していることを特徴とする請求項２または３に記載のバックライトユニット。
【請求項５】
前記封止部材の一対の傾斜面は、円弧状に傾斜していることを特徴とする請求項２または３に記載のバックライトユニット。
【請求項６】
前記封止部材の凹部は、周期的に複数設けられていることを特徴とする請求項１〜５のいずれかに記載のバックライトユニット。
【請求項７】
前記封止部材の複数の凹部は、５０μｍ以上で、かつ、前記封止部材の厚みの半分以下の周期で配列されていることを特徴とする請求項６に記載のバックライトユニット。
【請求項８】
前記封止部材の出光面以外の所定面に、光を反射するための反射構造が設けられていることを特徴とする請求項１〜７のいずれかに記載のバックライトユニット。
【請求項９】
前記封止部材は、アッベ数が２０以上５０以下で、屈折率が１．５以上１．８以下であるフリント系光学材料からなっていることを特徴とする請求項１〜８のいずれかに記載のバックライトユニット。
【請求項１０】
前記導光板の光入射面とは反対側の側端面に、光を反射するための反射構造が設けられていることを特徴とする請求項１〜９のいずれかに記載のバックライトユニット。
【請求項１１】
前記回折格子パターンは、その形成密度が前記導光板の光入射面から離れるにしたがって徐々に高くなるように形成されていることを特徴とする請求項１〜１０のいずれかに記載のバックライトユニット。
【請求項１２】
請求項１〜１１のいずれかに記載のバックライトユニットと、
前記バックライトユニットにより照明される液晶表示パネルとを備えていることを特徴とする液晶表示装置。
【発明の詳細な説明】
【技術分野】
【０００１】
この発明は、バックライトユニットおよび液晶表示装置に関する。
【背景技術】
【０００２】
従来、面状光を出射することが可能な照明装置が知られており、液晶表示装置の液晶表示パネルを照明するためのバックライトユニットとして利用されている。このような液晶表示装置用のバックライトユニットには、直下型とサイドライト型の２種類が少なくとも存在する。
【０００３】
ところで、直下型のバックライトユニットとは、液晶表示パネルの裏面（液晶表示パネルの表示面とは反対側に位置する面）側に光源を配置し、その光源からの光で液晶表示パネルを照明するように構成したものである。その一方、サイドライト型のバックライトユニットとは、液晶表示パネルの裏面側に導光板を配置し、光源からの光を導光板で面状に変換して液晶表示パネルを照明するように構成したものである（たとえば、特許文献１参照）。
【０００４】
図９は、従来のサイドライト型のバックライトユニットの一例を簡略的に示した図である。以下に、図９を参照して、従来のサイドライト型のバックライトユニットの構成について説明する。
【０００５】
従来のサイドライト型のバックライトユニットは、図９に示すように、導光板１０１、光源１０２および反射シート１０３などを備えている。
【０００６】
導光板１０１は、透明な板状部材からなっており、４つの側端面と、その４つの側端面に対して垂直な２つの面（前面および裏面）とを有している。この導光板１０１の４つの側端面のうちの所定の側端面は、光源１０２からの光を導光板１０１内に導入する光入射面として機能する面であるとともに、導光板１０１の前面は、導光板１０１内に導入された光を液晶表示パネル（図示せず）側に向かって面状に出射する光出射面として機能する面である。そして、導光板１０１の光出射面（前面）には、液晶表示パネル（図示せず）側に向かう方向への集光を行うための回折格子パターン１０４が形成されている。
【０００７】
また、光源１０２は、導光板１０１の光入射面（所定の側端面）と対向するように配置されているとともに、反射シート１０３は、導光板１０１の裏面側に配置されている。
【０００８】
上記した従来のサイドライト型のバックライトユニットでは、導光板１０１内に光が導入されると、その光が導光板１０１の光出射面（前面）と裏面との間で全反射を繰り返しながら導光板１０１内を進行する。そして、この際、導光板１０１内の光が回折格子パターン１０４に入射すると、回折により臨界角を超えて入射した光も導光板１０１の光出射面（前面）から出射され、その光によって液晶表示パネル（図示せず）が照明される。
【０００９】
【特許文献１】特開２００４−３６１９０８号公報
【発明の開示】
【発明が解決しようとする課題】
【００１０】
しかしながら、上記した従来のサイドライト型のバックライトユニットでは、回折格子パターン１０４に対して回折効率の高い入射角度（臨界角付近の角度）で入射する光が少ない。具体的には、導光板１０１の光入射面（所定の側端面）の法線方向と略同じ方向に進行する光Ｌ１０１に着目すると、その光Ｌ１０１については、導光板１０１の光出射面（前面）から出射されずに導光板１０１の光入射面（所定の側端面）とは反対側に位置する側端面にまで達してしまう。このため、照明光となる光（導光板１０１の光出射面（前面）から出射される光）が減少し、光の利用効率が低下するという問題点がある。
【００１１】
この発明は、上記のような課題を解決するためになされたものであり、この発明の目的は、光の利用効率を向上させることが可能なバックライトユニットおよび液晶表示装置を提供することである。
【課題を解決するための手段】
【００１２】
上記目的を達成するために、この発明の第１の局面によるバックライトユニットは、光を生成する発光体と、発光体を封止しているとともに、発光体で生成された光が出射される出光面を有する封止部材とを含む光源と、光源が対向配置される所定の側端面からなる光入射面と、光入射面に対して垂直で、かつ、被照明体側に向く面からなる光出射面とを少なくとも有する板状部材からなり、光入射面以外の少なくとも一面に回折格子パターンが形成されている導光板とを備えている。そして、封止部材の出光面には、封止部材の出光面が導光板の光入射面に対して平行な部分を有しないように形成された配光制御用の凹部が設けられており、封止部材の凹部で配光制御された光を導光板の光入射面から導光板内に導入するように構成されている。
【００１３】
この第１の局面によるバックライトユニットでは、上記のように、発光ダイオード素子を封止している封止部材の出光面に、封止部材の出光面が導光板の光入射面に対して平行な部分を有しないように形成された配光制御用の凹部を設けることによって、導光板の光入射面から導光板内に導入される光の配光制御を行うことができる。この場合、導光板の光入射面の法線方向と略同じ方向に進行する光が減少し、かつ、導光板の光入射面の法線方向に対して傾斜した方向に進行する光が増加するように配光制御を行えば、導光板の光出射面から出射されずに導光板の反光入射面（導光板の光入射面とは反対側に位置する側端面）にまで達してしまう光を減少させ、かつ、導光板の光出射面から出射される光を増加させることができる。その結果、光の利用効率を向上させることができる。
【００１４】
上記第１の局面によるバックライトユニットの構成において、好ましくは、封止部材の凹部は、封止部材の出光面の中心を通る中心線に対して対称な少なくとも一対の傾斜面を有している。このように構成すれば、封止部材の一対の傾斜面の傾斜角度を調整することにより、容易に、導光板の光入射面から導光板内に導入される光の配光制御を行うことができる。
【００１５】
封止部材の凹部が一対の傾斜面を有する構成において、封止部材の一対の傾斜面は、５０°以上８０°以下の傾斜角度で傾斜していることが好ましい。
【００１６】
また、封止部材の凹部が一対の傾斜面を有する構成において、封止部材の一対の傾斜面は、直線状に傾斜していてもよい。
【００１７】
さらに、封止部材の凹部が一対の傾斜面を有する構成において、封止部材の一対の傾斜面は、円弧状に傾斜していてもよい。
【００１８】
上記第１の局面によるバックライトユニットの構成において、封止部材の凹部は、周期的に複数設けられていてもよい。
【００１９】
この場合、封止部材の複数の凹部は、５０μｍ以上で、かつ、封止部材の厚みの半分以下の周期で配列されていることが好ましい。
【００２０】
上記第１の局面によるバックライトユニットの構成において、好ましくは、封止部材の出光面以外の所定面に、光を反射するための反射構造が設けられている。このように構成すれば、封止部材の出光面以外の面から光が漏れ出るのを抑制することができる。これにより、導光板内に導入される光が減少するのを抑制することができるので、光の利用効率をより向上させることが可能となる。
【００２１】
上記第１の局面によるバックライトユニットの構成において、封止部材は、アッベ数が２０以上５０以下で、屈折率が１．５以上１．８以下であるフリント系光学材料からなっていることが好ましい。このように構成すれば、視野角変化による色分離を使用者が感じてしまうのを抑制することが可能となる。
【００２２】
上記第１の局面によるバックライトユニットの構成において、好ましくは、導光板の光入射面とは反対側の側端面に、光を反射するための反射構造が設けられている。このように構成すれば、視野角変化による色分離を使用者が感じてしまうのをより抑制することができる。
【００２３】
上記第１の局面によるバックライトユニットの構成において、好ましくは、回折格子パターンは、その形成密度が導光板の光入射面から離れるにしたがって徐々に高くなるように形成されている。このように構成すれば、輝度ムラが発生するのを抑制することができる。
【００２４】
この発明の第２の局面による液晶表示装置は、請求項１〜１１のいずれかに記載のバックライトユニットと、バックライトユニットにより照明される液晶表示パネルとを備えている。このように構成すれば、容易に、液晶表示装置の光利用効率を向上させることができる。
【発明の効果】
【００２５】
以上のように、本発明によれば、光の利用効率を向上させることが可能なバックライトユニットおよび液晶表示装置を容易に得ることができる。
【発明を実施するための最良の形態】
【００２６】
（第１実施形態）
図１は、本発明の第１実施形態によるバックライトユニットの構成を説明するための図である。図２は、図１に示した第１実施形態によるバックライトユニットの導光板に形成された回折格子パターンの模式図である。図３は、図１に示した第１実施形態によるバックライトユニットの光源の拡大図である。以下に、図１〜図３を参照して、第１実施形態によるバックライトユニットについて説明する。
【００２７】
第１実施形態によるバックライトユニット１０は、図１に示すように、たとえば、液晶表示装置の液晶表示パネル（被照明体）２０を照明するために用いられる。また、このバックライトユニット１０は、サイドライト型であって、光源１や導光板２などを備えている。
【００２８】
光源１は、被照明体を照明する光を生成するためのものであり、発光ダイオード素子（発光体）３などを含んでいる。この光源１の発光体である発光ダイオード素子３は、ベース部材５に装着され、かつ、透明な樹脂材料（屈折率：１．５）からなる封止部材４によって封止されている。また、発光ダイオード素子３を封止する封止部材４は、発光ダイオード素子３で生成された光が出射される出光面４ａと、その出光面４ａに繋がる４つの面（所定面）４ｂとを有しており、そのＹ方向の厚みが約０．６ｍｍとなるように形成されている。そして、光源１は、封止部材４の出光面４ａが導光板２の後述する光入射面２ａと対向するように配置されている。
【００２９】
導光板２は、光源１からの光を導光して被照明体側に向けて出射するためのものであって、透明な樹脂材料からなっている。また、導光板２は、Ｙ方向の厚みが約０．６ｍｍの板状に成形されており、光源１が対向配置される側端面２ａを含む４つの側端面と、その４つの側端面に繋がる前面２ｂおよび裏面２ｃとを有している。そして、この導光板２の光源１が対向配置される側端面２ａは、光源１からの光を導光板２内に導入する光入射面として機能する。なお、以下の説明では、導光板２の側端面２ａを光入射面２ａという。
【００３０】
また、導光板２の前面２ｂは、導光板２の光入射面２ａに対して垂直で、かつ、被照明体側に向く面であり、導光板２内に導入された光を被照明体側に向けて面状に出射する光出射面として機能する。なお、以下の説明では、導光板２の前面２ｂを光出射面２ｂと言う。また、導光板２の裏面２ｃは、導光板２の光入射面２ａに対して垂直で、かつ、導光板２の光出射面２ｂとは反対側に位置する面である。
【００３１】
また、導光板２の光出射面２ｂには、被照明体側に向かう方向への集光特性を高めるための回折格子パターン６が一体的に設けられている。この回折格子パターン６は、周期的な凹凸構造体であり、格子ピッチが約０．１μｍ〜約１μｍ（たとえば、約４００ｎｍ）となるとともに、格子高さが約０．１μｍ〜約１μｍ（たとえば、約２００ｎｍ）となるように形成されている。このような回折格子パターン６を導光板２の光出射面２ｂに設ければ、臨界角を超えて回折格子パターン６に入射する導光板２内の光が回折するため、導光板２の光出射面２ｂから出射される光（以下、単に出射光と言う）を導光板２の光出射面２ｂの法線方向と略同じ方向に進行させることが可能となる。
【００３２】
たとえば、導光板２の構成材料がポリカーボネート（屈折率：１．５９）である場合、５５０ｎｍの波長の出射光を導光板２の光出射面２ｂの法線方向と同じ方向に進行させるための条件は、以下の式（１）から求めることができる。
【００３３】
ｎ２ｓｉｎθ２＝ｎ１ｓｉｎθ１＋ｍλ／ｄ  ・・・  （１）
θ１：導光板内の光の進行方向と導光板の光出射面の法線方向との間の角度（入射角）
θ２：出射光の進行方向と導光板の光出射面の法線方向との間の角度（出射角）＝０°
ｎ１：導光板の屈折率＝１．５９
ｎ２：導光板外の屈折率（空気）＝１
ｍ：次数（・・・、−１、０、１、２、３、・・・）＝−１
λ：波長＝５５０ｎｍ
ｄ：回折格子パターンの周期＝４００ｎｍ
上記した式（１）から、入射角θ１＝６０°となる。すなわち、導光板２の構成材料がポリカーボネートである場合において、５５０ｎｍの波長の出射光を導光板２の光出射面２ｂの法線方向と同じ方向に進行させるためには、導光板２内の光を６０°の入射角で回折格子パターン６に入射させるのが好ましいと言える。また、他の波長の可視光についても、回折効率が高くなる入射角θ１が５０°〜７５°付近となる。
【００３４】
ところで、導光板２の光出射面２ｂに形成された回折格子パターン６の形成密度が全面にわたって一定であれば、導光板２の光入射面２ａに近い領域ほど出射光の強度が大きくなり、その領域から離れるにしたがって出射光の強度が小さくなっていく。このため、出射光の強度を全面にわたって均一にするためには、導光板２の光入射面２ａ側から反光入射面（導光板２の光入射面２ａとは反対側に位置する側端面）２ｄ側に行くにしたがって回折格子パターン６の形成密度を徐々に高くする必要がある。したがって、たとえば、図２に示すように、０．１ｍｍ角内の全体に回折格子パターン６が設けられたものを１つのセルとしてとらえ、導光板２の光入射面２ａ側から反光入射面２ｄ側に行くにしたがってセルの配置密度を徐々に高くしていくのが好ましい。
【００３５】
なお、上記のような回折格子パターン６を光出射面２ｂに持つ導光板２は、たとえば、金型に形成された凹凸パターンを被加工体に転写するナノインプリント技術を用いることにより得ることができる。
【００３６】
また、図１に示すように、導光板２の光出射面２ｂ上には、拡散板７が配置されているとともに、導光板２の裏面２ｃ上には、反射シート８が配置されている。拡散板７は、回折格子パターン６において光が回折することによる色ずれを補正するためのものであり、反射シート８は、導光板２内の光を導光板２の光出射面２ｂ側に向かって反射するためのものである。
【００３７】
ここで、第１実施形態では、光源１において配光制御を行い、配光制御した光を導光板２の光入射面２ａから導光板２内に導入するように構成されている。具体的には、図１および図３に示すように、封止部材４の出光面４ａに凹部４ｃが設けられており、その封止部材４の凹部４ｃによって配光制御が行われるようになっている。この封止部材４の凹部４ｃは、封止部材４の出光面４ａから発光ダイオード素子３側に向かって掘り込まれた凹部であって、封止部材４の出光面４ａが導光板２の光入射面２ａに対して平行な部分を有しないように形成されている。さらに、封止部材４の凹部４ｃは、側面側から見て、封止部材４の出光面４ａの中心を通る中心線ＣＬに対して対称な一対の傾斜面４ｄを有するように三角形状に形成されている。そして、封止部材４の凹部４ｃの傾斜面４ｄの傾斜角度は、封止部材４の出光面４ａに凹部４ｃを形成することにより得られる直角三角形の部分の頂角（封止部材４の面４ｂと傾斜面４ｄとの間の角度）θが約７５°となるように設定されている。
【００３８】
また、第１実施形態では、図１に示すように、封止部材４の出光面４ａ以外の面４ｂが反射シート８によって覆われている。封止部材４の裏面となる面４ｂを覆っている反射シート８は、導光板２の裏面２ｃ上に位置する反射シート８の一部であり、封止部材４の裏面となる面４ｂ以外の面４ｂを覆っている反射シート８は、別途準備したものである。なお、この封止部材４の面４ｂを覆う反射シート８は、高い反射率を有する銀蒸着シートや誘電多層膜シートなどからなっている。また、第１実施形態では、導光板２の反光入射面２ｄも別途準備した反射シート８によって覆われている。
【００３９】
上記した第１実施形態の構成では、図４および図５に示すように、導光板２の光入射面２ａの法線方向と略同じ方向（Ｘ方向）に進行する光（図５において角度が０°付近の光）が従来の構成に比べて減少し、導光板２の光入射面２ａの法線方向に対して±２０°ほど傾斜した方向に進行する光（図５において角度が±２０°付近の光）が従来に比べて増加するように、封止部材４の凹部４ｃにおいて配光制御が行われる。このため、導光板２の光出射面２ｂから出射されずに導光板２の反光入射面２ｄ（図１参照）にまで達してしまう光が減少し、回折格子パターン６に対する入射角が７０°付近となる光が増加する。すなわち、回折効率が高くなる入射角（５０°〜７５°）で回折格子パターン６に入射する光が増加することになる。これにより、以下の表１に示すように、導光板２の光出射面２ｂから出射される光の割合（７９％）が従来に比べて高くなり、導光板２の光出射面２ｂから出射されずに導光板２の反光入射面２ｄにまで達してしまう光の割合（２１％）が従来に比べて低くなるので、光の利用効率が向上する。
【００４０】
【表１】
2009301725.tif 000003
また、第１実施形態では、上記のように、封止部材４の出光面４ａ以外の面４ｂを反射シート８で覆うことによって、封止部材４の出光面４ａ以外の面４ｂから光が漏れ出るのを抑制することができる。これにより、導光板２内に導入される光が減少するのを抑制することができるので、光の利用効率をより向上させることが可能となる。
【００４１】
また、第１実施形態では、上記のように、導光板２の光入射面２ａ側から反光入射面２ｄ側に行くにしたがって回折格子パターン６の形成密度を徐々に高くすることによって、輝度ムラが発生するのを抑制することができる。
【００４２】
（第２実施形態）
図６は、本発明の第２実施形態によるバックライトユニットの構成および光源からの光の挙動を説明するための図である。次に、図６を参照して、第２実施形態によるバックライトユニットの光源１１について説明する。
【００４３】
この第２実施形態では、図６に示すように、第１実施形態の封止部材４の構成材料と異なる材料からなる封止部材１４で発光ダイオード素子３を封止している。具体的には、封止部材１４の構成材料は、アッベ数が２０で、屈折率が１．６４であるポリα−ナフチルメタクリレート（フリント系光学材料）である。なお、封止部材１４の構成材料として、ポリα−ナフチルメタクリレート以外のフリント系光学材料を用いてもよい。ポリα−ナフチルメタクリレート以外のフリント系光学材料としては、ポリビニルナフタレン（アッベ数：２０、屈折率：１．６７）、エピスルフィド樹脂（アッベ数：３３．３、屈折率：１．６以上）、および、ビスフェノールＡポリカーボネート（アッベ数：３１．１、屈折率：１．５８６）などがある。
【００４４】
また、封止部材１４は、発光ダイオード素子３で生成された光が出射される出光面１４ａと、その出光面１４ａに繋がる４つの面１４ｂとを有しており、そのＹ方向の厚みが約０．６ｍｍとなるように形成されている。
【００４５】
そして、第２実施形態では、第１実施形態と同様、封止部材１４の出光面１４ａに、封止部材１４の出光面１４ａが導光板２の光入射面２ａに対して平行な部分を有しないように形成された配光制御用の凹部１４ｃが設けられている。この封止部材１４の凹部１４ｃは、側面側から見て、封止部材１４の出光面１４ａの中心を通る中心線ＣＬに対して対称な一対の傾斜面１４ｄを有するように三角形状に形成されている。また、封止部材１４の凹部１４ｃの傾斜面１４ｄの傾斜角度は、封止部材１４の出光面１４ａに凹部１４ｃを形成することにより得られる直角三角形の部分の頂角（封止部材１４の面１４ｂと傾斜面１４ｄとの間の角度）θが約５４°となるように設定されている。
【００４６】
なお、第２実施形態のその他の構成は、第１実施形態と同様である。
【００４７】
上記した第２実施形態の構成では、光源１１からの光に色収差が発生するため、赤色波長帯域の光Ｌ１の回折格子パターン６に対する入射角αと青色波長帯域の光Ｌ２の回折格子パターン６に対する入射角βとの間に３°程度の差が生じる。これにより、視野角変化による色分離を使用者が感じてしまうのを抑制することが可能となる。
【００４８】
この第２実施形態のその他の効果は、第１実施形態と同様である。
【００４９】
今回開示された実施形態は、すべての点で例示であって制限的なものではないと考えられるべきである。本発明の範囲は、上記した実施形態の説明ではなく特許請求の範囲によって示され、さらに、特許請求の範囲と均等の意味および範囲内でのすべての変更が含まれる。
【００５０】
たとえば、上記実施形態では、図３に示したような凹部４ｃを封止部材４の出光面４ａに形成し、その凹部４ｃで配光制御を行うようにしたが、本発明はこれに限らず、図７に示すように、複数の凹部（中心線ＣＬに対して対称な複数対の傾斜面）４ｅを回折の影響が少ない５０μｍ以上の周期で封止部材４の出光面４ａに形成し、その凹部４ｅで配光制御を行うようにしてもよい。また、図８に示すように、円弧状の傾斜面を有する凹部４ｆを封止部材４の出光面４ａに形成し、その凹部４ｆで配光制御を行うようにしてもよい。
【００５１】
また、上記実施形態では、封止部材の出光面以外の所定面を反射シートで覆うようにしたが、本発明はこれに限らず、封止部材の出光面以外の所定面に光の波長程度の周期構造を形成し、その周期構造で光を反射するようにしてもよい。
【図面の簡単な説明】
【００５２】
【図１】本発明の第１実施形態によるバックライトユニットの構成を説明するための図である。
【図２】図１に示した第１実施形態によるバックライトユニットの導光板に形成された回折格子パターンの模式図である。
【図３】図１に示した第１実施形態によるバックライトユニットの光源の拡大図である。
【図４】図１に示した第１実施形態によるバックライトユニットの光源からの光の挙動を説明するための図である。
【図５】図１に示した第１実施形態によるバックライトユニットの光源からの光の挙動を説明するためのグラフである。
【図６】本発明の第２実施形態によるバックライトユニットの構成および光源からの光の挙動を説明するための図である。
【図７】本実施形態の変形例によるバックライトユニットの光源の拡大図である。
【図８】本実施形態の変形例によるバックライトユニットの光源の拡大図である。
【図９】従来のサイドライト型のバックライトユニットの一例を簡略的に示した図である。
【符号の説明】
【００５３】
１、１１  光源
２  導光板
２ａ  光入射面
２ｂ  光出射面
３  発光ダイオード素子（発光体）
４、１４  封止部材
４ａ、１４ａ  出光面
４ｂ、１４ｂ  面（所定面）
４ｃ、４ｅ、４ｆ、１４ｃ  凹部
４ｄ、１４ｄ  傾斜面
６  回折格子パターン
８  反射シート（反射構造）
１０  バックライトユニット
２０  液晶表示パネル
【図１】
2009301725.tif 000004
【図２】
2009301725.tif 000005
【図３】
2009301725.tif 000006
【図４】
2009301725.tif 000007
【図５】
2009301725.tif 000008
【図６】
2009301725.tif 000009
【図７】
2009301725.tif 000010
【図８】
2009301725.tif 000011
【図９】
2009301725.tif 000012